(57)【要約】【課題】  従来の棚構造体を改良すること。【解決手段】  複数部材から成る支持部材１と、板状部材５とをドエルピン５によって接合して種々の棚のバリエーションを構成する棚構造体において、前記ドエルピン５を外側部材５０及び内側部材５６で構成する。また、これら２つの部材から成る前記ドエルピン５を、組立のために前記支持部材１内におけるドエルピン孔内に配置する。さらに、前記外側部材５０を拡開可能な軸部及び拡開可能な尖端部を含んで構成するとともに、組立時に、これら軸部及び尖端部によって前記内側部材５６を拡開して前記ドエルピン孔において強固な挟着力が得られるよう構成した。【選択図】図５
2009142643.tif 000002
【特許請求の範囲】
【請求項１】
複数部材から成る支持部材（１；１１〜１３）と、板状部材（２）とをドエルピン（５；５０；５６）によって接合して種々の棚のバリエーションを構成する棚構造体において、
前記ドエルピン（５）を外側部材（５０）及び内側部材（５６）で構成し、
これら２つの部材から成る前記ドエルピン（５）を、組立のために前記支持部材（１；１１〜１３）内におけるドエルピン孔（１１４，１２４，１３４）内に配置し、
前記外側部材（５０）を拡開可能な軸部（５０３）及び拡開可能な尖端部（５０４）を含んで構成するとともに、組立時に、これら軸部及び尖端部によって前記内側部材（５６）を拡開して前記ドエルピン孔（１１４，１２４，１３４）において強固な挟着力が得られるよう構成した
ことを特徴とする棚構造体。
【請求項２】
前記内側部材（５６）を、
その両端で開口する軸方向通路（５６０）と、
該軸方向通路（５６０）の一端の開口部に設けた、ボルト（７）の頭部又はナット（８）を収容する収容部（５６１）と、
前記開口部の下部に設けた第１の円すい部（５６２）と、
該第１の円すい部（５６２）に隣接した軸部（５６３）と、
該軸部（５６３）の下部に、ショルダ部を介して接続した第２の円すい部（５６４）と
を含んで構成したことを特徴とする請求項１記載の棚構造体。
【請求項３】
前記外側部材（５０）を、
その両端で開口しつつ前記ボルト（７）が挿通する軸方向通路（５００）と、
部分的に前記尖端部（５０４）まで延設されているとともに該尖端部に隣接するスリット（５０５）が形成された軸部（５０３）と、
前記軸部（５６３）に接続するショルダ部（５６６）と、
内部（５６）において該ショルダ部（５６６）に当接するストッパ（５０６）と
を含んで構成したことを特徴とする請求項１又は２記載の棚構造体。
【請求項４】
前記支持部材（１）を、中央部材（１１）と、該中央部材に結合される比較的長い側方部材（１２）及び比較的短い側方部材（１３）とで構成し、
前記側方部材（１２，１３）と結合するために、前記中央部材（１１）にそれぞれ接合溝（１１１）を備えた２つのエッジを設け、
前記各側方部材（１２，１３）に前記接合溝（１１１）と係合する係止突起（１２１，１３１）を設け、
前記支持部材（１１）及び前記側方部材（１２，１３）にそれぞれ少なくとも１つの前記ドエルピン孔（１１４，１２４，１３４）及びボルト孔（１１５，１２５，１３５）を設けた
ことを特徴とする請求項１〜３のいずれか１項に記載の棚構造体。
【請求項５】
安定化のために、前記中央部材（１１）及び前記側方部材（１２，１３）にそれぞれの１つのジャケット（１１０，１２０，１３０）から他のジャケットへ延びる内部ウェブを設け、
最上の前記板状部材（２）の下部に位置する前記支持部材（１）に、前記ドエルピン（５）によって締結される固定部材（３）を設け、
最下の前記支持部材（１）に前記ドエルピン（５）で締結される台座（４）を設けた
ことを特徴とする請求項１〜４のいずれか１項に記載の棚構造体。
【請求項６】
前記中央部材（１１）を、その前記接合溝（１１１）を含む全周にわたって前記ジャケット（１１０）で包囲し、
前記側方部材（１２，１３）のジャケット（１２０，１３０）を、それぞれ前記係止突起（１２１，１３１）まで延設するとともに、該側方部材（１２，１３）を前記係止突起において開口するよう形成した
ことを特徴とする請求項１〜５のいずれか１項に記載の棚構造体。
【発明の詳細な説明】
【技術分野】
【０００１】
本発明は、複数部材から成る支持部材と、板状部材とをドエルピンによって接合して種々の棚のバリエーションを構成する棚構造体に関するものである。
【背景技術】
【０００２】
モジュール式に組立可能な階層構造を有し、長さ方向延長を選択可能な棚構造体が知られている。
【特許文献１】独国実用新案第２０３１１０２５号明細書
【特許文献２】欧州特許出願公開第０４１７３７６号明細書
【特許文献３】米国特許５，７４６，１３９号明細書
【特許文献４】米国特許出願公開第２００３／０１１６５１７号明細書
【発明の開示】
【発明が解決しようとする課題】
【０００３】
しかしながら、上記のような棚構造体においては、そのバリエーションが限られてしまうことが多々生じるとともに、組立に手間がかかる上、顧客の希望及び配置状況に即し、かつ、信頼性ある負荷能力と魅力的なデザインとを得るために様々な部品が必要となってしまう。
【０００４】
本発明は上記問題にかんがみてなされたもので、その目的とするところは、上記のような棚構造体を改良することにある。
【課題を解決するための手段】
【０００５】
上記目的を達成するため、本発明は、複数部材から成る支持部材と、板状部材とをドエルピンによって接合して種々の棚のバリエーションを構成する棚構造体において、前記ドエルピンを外側部材及び内側部材で構成し、これら２つの部材から成る前記ドエルピンを、組立のために前記支持部材内におけるドエルピン孔内に配置し、前記外側部材を拡開可能な軸部及び拡開可能な尖端部を含んで構成するとともに、組立時に、これら軸部及び尖端部によって前記内側部材を拡開して前記ドエルピン孔において強固な挟着力が得られるよう構成したことを特徴としている。
【０００６】
また、本発明の一実施形態は、前記内側部材を、その両端で開口する軸方向通路と、該軸方向通路の一端の開口部に設けた、ボルトの頭部又はナットを収容する収容部と、前記開口部の下部に設けた第１の円すい部と、該第１の円すい部に隣接した軸部と、該軸部の下部に、ショルダ部を介して接続した第２の円すい部とを含んで構成したことを特徴としている。
【０００７】
また、本発明の一実施形態は、前記外側部材を、その両端で開口しつつ前記ボルトが挿通する軸方向通路と、部分的に前記尖端部まで延設されているとともに該尖端部に隣接するスリットが形成された軸部と、前記軸部に接続するショルダ部と、内部において該ショルダ部に当接するストッパとを含んで構成したことを特徴としている。
【０００８】
また、本発明の一実施形態は、前記支持部材を、中央部材と、該中央部材に結合される比較的長い側方部材及び比較的短い側方部材とで構成し、前記側方部材と結合するために、前記中央部材にそれぞれ接合溝を備えた２つのエッジを設け、前記各側方部材に前記接合溝と係合する係止突起を設け、前記支持部材及び前記側方部材にそれぞれ少なくとも１つの前記ドエルピン孔及びボルト孔を設けたことを特徴としている。
【０００９】
さらに、本発明の一実施形態は、安定化のために、前記中央部材及び前記側方部材にそれぞれの１つのジャケットから他のジャケットへ延びる内部ウェブを設け、最上の前記板状部材の下部に位置する前記支持部材に、前記ドエルピンによって締結される固定部材を設け、最下の前記支持部材に前記ドエルピンで締結される台座を設けたことを特徴としている。
【発明の効果】
【００１０】
本発明によれば、従来の棚構造体が有していた欠点を解消することが可能である。
【発明を実施するための最良の形態】
【００１１】
以下に本発明の実施の形態を添付図面に基づいて説明する。なお、以下の説明において、図中に符号が示してあるにもかかわらず、当該図についての説明においてこの符号で示す部材の説明がない場合があるが、この部材については、その前又は後に説明してある。また、先行する図の説明で既に説明した部材については、後の図において当該部材が明らかに理解し得る場合には、その符号をほとんどの場合省略して示している。
【００１２】
＜図１Ａ〜図１Ｅ＞
これらの図には、中央部材１１、側方部材１２，１３の３つの部材から成る支持部材１の構造に基づく棚構造体についての５つの異なったバリエーションが示されている。支持部材１は１段目に設けられた板状部材２を支持しており、この板状部材２上には、更に支持部材１が、その下にある支持部材１の上に重ねられるように設けられている。また、これら棚構造体はそれぞれ一番上に板状部材２が設置されるようになっており、この板状部材２は、その上部から多角形状の固定部材３によって支持部材１に固定されている。
【００１３】
そして、板状部材２は、少なくとも２つの支持部材１間に橋架され、かつ、直線状、四角形状又は曲線状に形成されている。さらに、板状部材２を上下に重ねられた２つの支持部材１の間に単に載置することも可能であり、支持部材１を、これに接合部を設けることなく２つの段を貫いて延設させることも可能である。なお、支持部材１の下側（底面側）には複数部材から成る台座４が設けられている。
【００１４】
＜図２Ａ〜図２Ｇ＞
支持部材１における中央部材１１は、その外面がジャケット１１０によって包囲されているとともに、両端部にはそれぞれ長手方向に互いに平行な一対の接合溝１１１が延設されている。また、中央部材１１の内部には、その両端部の近傍にパイプ状のボルト孔１１５が２つずつ設けられている。さらに、この中央部材１１には、もう１つのボルト孔１１５、内部ウェブ１１３及び該内部ウェブ１１３に沿って長手方向にパイプ状のドエルピン孔１１４が延設されている。なお、中央部材１１及び側方部材１２，１３の他の部分は中空状となっている。
【００１５】
ところで、比較的長い側方部材１２は、断面がＶ字状のジャケット１２０を備えており、Ｖ字の２つの直線部分の端部には係止突起１２１が形成されている。すなわち、両係止突起１２１間で側方部材１２は開放されている。また、内部ウェブ１２３が側方部材１２の長手方向に延設されており、そのジャケット側両端部にはそれぞれボルト孔１２５が設けられている。なお、もう１つのボルト孔１２５はドエルピン孔１２４と結合されており、もう１つの比較的大きなボルト孔１２５は側方部材１２の尖端部に設けられている。
【００１６】
一方、比較的短い側方部材１３についても、上記側方部材１２と同様に、ジャケット１３０を備えており、両係止突起１３１間で開放されている。また、内部ウェブ１３３が側方部材１３の長手方向に延設されているとともに、該内部ウェブ１３３に沿って長手方向にパイプ状のドエルピン孔１３４が延設されており、このドエルピン孔１３４にはボルト孔１３５が結合されている。さらに、比較的大きなボルト孔１３５が側方部材１３の尖端部に設けられている。
【００１７】
しかして、中央部材１１及び側方部材１２，１３が互いに組み立てられた状態においては、係止突起１２１，１３１が接合溝１１１に弾性的に係合するようになっている。また、各支持部材１の下部に設けられた台座４は、底板４１の脚部４０及び各支持部材１に共通に延設された脚板４２で構成されている。
【００１８】
なお、中央部材１１の端部における側方部材１２，１３をそれぞれ逆の端部に設けたり（図２Ｅ参照）、中央部材１１の両端に比較的短い側方部材１３のみを設けたり（図２Ｆ参照）、あるいは中央部材１１の両端に比較的長い側方部材１２のみを設けることも可能である。
【００１９】
＜図３Ａ〜図３Ｃ及び図９＞
平坦かつ多角形状の固定部材３には、ボルト７を挿通させて２つの部分から成るドエルピン５及びナット８と結合させるための貫通孔３０が穿設されている。ここで、ドエルピン５は、その外側部分５０に内装される内側部分５６とで構成されている。
【００２０】
また、台座４も、２つの部分から成るドエルピン５、ボルト７及びナット８によって取り付けられるものである。すなわち、底板４１に第１及び第２の貫通孔４１０，４１１が穿設されており、これら貫通孔４１０，４１１は、ボルト７の挿通及び脚部４０の固定がなされるよう配置されている。また、複数の長孔４１２については、これを、棚を電化するためのケーブルのガイドとして使用することが可能である（図９参照）。さらに、脚板４２にも、底板４０における各孔４１０，４１１，４１２に相当する位置に孔４２０，４２１，４２２が穿設されている。
【００２１】
そして、組み立てられた状態においては、ドエルピン５の外側部材５０における尖端部５０４が上方から支持部材１のドエルピン孔１１４，１２４，１３４内へ嵌入されており、ドエルピン５が脚板４２における第１の貫通孔４２０に取り付けられている。また、支持部材１の中央部材１１及び側方部材１２，１３には、照明手段９を取り付けるための開口部１１９，１２９が設けられており、この照明手段９には、電力供給手段９０からケーブル９１を介して電力が供給されるようになっている。
【００２２】
＜図４Ａ及び図４Ｂ＞
ドエルピン５におけるシリンダ状の外側部分５０は、軸方向通路５００を備えつつ軸部５０３と尖端部５０４に細分化されている。また、対称的に形成されて部分的に軸部５０３内又は尖端部５０４内まで延びたスリット５０５によって、内側部分５６を深く挿入する際に外側部分５０が弾性的に拡開されることになる。さらに、外側部分５０の内部には、内側部分５６が挿入された際に該内側部分５６に形成された係止爪としてのショルダ部５６６が当接するストッパ５０６が形成されている。また、内側部分５６は、その開口部に形成された収容部５６１を有する軸方向通路５６０を備え、かつ、軸部５６３に隣接するとともにショルダ部５６６において第２の円すい部５６４に接続された第１の円すい部５６２に分割されている。
【００２３】
ところで、２つのドエルピン５を一対に組み立てる場合には、両尖端部５０４を互いに対向させるとともに各内側部分５６をそれぞれ外側部分５０内へ嵌挿し、一方の内側部分５６の収容部５６１へ挿入されたボルト７及び他方の内側部分５６の収容部５６１に嵌合するナット８によって締結することにより当該組立がなされる。
【００２４】
＜図５〜図７＞
棚構造体の組立は、まず、３つの部材から成る支持部材１の組立及びドエルピン５を用いた台座４の組立から始めるのが好ましい。また、下側の支持部材１には、板状部材２を接合しつつその上に上側の支持部材１が取り付けられるようになっており、この取付は、図４Ａ及び図４Ｂに示すように行われる。ここで、この上側の支持部材２の上に設けられる板状部材２が一番上の板状部材２であれば、この板状部材２は、固定部材３及びドエルピン５によって組み付けられることになる。
【００２５】
＜図８Ａ〜図８Ｃ＞
図４Ａ及び図４Ｂに基づく一対のドエルピン５による組立を改良したものとしては、まず、内側部材５６における第２の円すい部５６４を外側部材５０の尖端部５０４へ挿入する。このとき、ドエルピン孔１１４，１２４，１３４における挟着力はまだ小さいものとなっている（図８Ａ参照）。次に、第２の円すい部５６４をドエルピン孔１１４，１２４，１３４内へ更に押し込む（図８Ｂ参照）。そして、完全に組み立てられた状態においては、第２の円すい部５６４は最大限にドエルピン孔１１４，１２４，１３４内へ挿入されており、このとき、大きな挟着力が得られることになる（図８Ｃ参照）。
【図面の簡単な説明】
【００２６】
【図１Ａ】本発明による棚構造体の第１のバリエーションを示す図である。
【図１Ｂ】本発明による棚構造体の第２のバリエーションを示す図である。
【図１Ｃ】本発明による棚構造体の第３のバリエーションを示す図である。
【図１Ｄ】本発明による棚構造体の第４のバリエーションを示す図である。
【図１Ｅ】本発明による棚構造体の第５のバリエーションを示す図である。
【図２Ａ】３つの部材から成る支持部材の分解斜視図である。
【図２Ｂ】図２Ａに示す支持部材を組み立てた状態で示す平面図である。
【図２Ｃ】図２Ｂに示す支持部材の斜視図である。
【図２Ｄ】図１ＡにおけるＸ１部分を拡大して示す図である。
【図２Ｅ】図２Ｂにおける側方部材を変更して示す図である。
【図２Ｆ】図２Ｂにおける比較的短い側方部材を中央部材の両端に接続した場合を示す図である。
【図２Ｇ】図２ＦにおけるＸ２部分を拡大して示す図である。
【図３Ａ】ドエルピン、ボルト及びナットと共に示す固定部材の分解斜視図である。
【図３Ｂ】ドエルピンと共に示す台座の斜視図である。
【図３Ｃ】図３Ｂに基づく台座の分解斜視図である。
【図４Ａ】２つのドエルピン、ボルト及びナットの結合を示す分解斜視図である。
【図４Ｂ】結合された状態を示す図４Ａに基づく斜視図である。
【図５】図１Ａに示す棚構造体の分解斜視図である。
【図６】図５に示す棚構造体を部分的に組み立てた状態で示す図である。
【図７】図６に示す棚構造体を完全に組み立てた状態で示す図である。
【図８Ａ】ドエルピンによる組立を示す断面図である。
【図８Ｂ】図８Ａに示す状態から更に組立が進んだ状態を示す図である。
【図８Ｃ】図８Ｂに示す状態から完全に組立が完了した状態を示す図である。
【図９】図１Ａに示す棚構造体を電化した場合の分解斜視図である。
【符号の説明】
【００２７】
１            支持部材
１１          支持部材の中央部材
１２，１３    支持部材の側方部材
１１０        ジャケット
１１１        接合溝
１１３        内部ウェブ
１１４        ドエルピン孔
１１５        ボルト孔
１１９        開口部
１２０        ジャケット
１２１        係止突起
１２３        内部ウェブ
１２４        ドエルピン孔
１２５        ボルト孔
１２９        開口部
１３０        ジャケット
１３１        係止突起
１３３        内部ウェブ
１３４        ドエルピン孔
１３５        ボルト孔
２            板状部材
３            固定部材
３０          貫通孔
４            台座
４０          脚部
４１          底板
４２          脚板
４１０        底板における第１の貫通孔
４１１        底板における第２の貫通孔
４１２        底板における長孔
４２０        脚板における第１の貫通孔
４２１        脚板における第２の貫通孔
４２２        脚板における長孔
５            ドエルピン
５０          外側部分
５６          内側部分
５００        軸方向通路
５０３        軸部
５０４        外側部分における尖端部
５０５        スリット
５０６        ストッパ
５６０        軸方向通路
５６１        収容部
５６２        第１の円すい部
５６３        軸部
５６４        第２の円すい部
５６６        ショルダ部
７            ボルト
８            ナット
９            照明手段
９０          電力供給手段
９１          ケーブル
【図１Ａ】
2009142643.tif 000003
【図１Ｂ】
2009142643.tif 000004
【図１Ｃ】
2009142643.tif 000005
【図１Ｄ】
2009142643.tif 000006
【図１Ｅ】
2009142643.tif 000007
【図２Ａ】
2009142643.tif 000008
【図２Ｂ】
2009142643.tif 000009
【図２Ｃ】
2009142643.tif 000010
【図２Ｄ】
2009142643.tif 000011
【図２Ｅ】
2009142643.tif 000012
【図２Ｆ】
2009142643.tif 000013
【図２Ｇ】
2009142643.tif 000014
【図３Ａ】
2009142643.tif 000015
【図３Ｂ】
2009142643.tif 000016
【図３Ｃ】
2009142643.tif 000017
【図４Ａ】
2009142643.tif 000018
【図４Ｂ】
2009142643.tif 000019
【図５】
2009142643.tif 000020
【図６】
2009142643.tif 000021
【図７】
2009142643.tif 000022
【図８Ａ】
2009142643.tif 000023
【図８Ｂ】
2009142643.tif 000024
【図８Ｃ】
2009142643.tif 000025
【図９】
2009142643.tif 000026